(57)【要約】【課題】相変化型光ディスクの相変化膜が不均一であっても、新たなパラメータを用いずに、最適な記録パワー値を求める。【解決手段】相変化型光ディスクの試し書き領域に対してＤＣ消去を行うステップと、ＤＣ消去が行われた試し書き領域に対して、記録パワー値を変化させながらデータを記録するステップと、記録されたデータを再生することによって再生信号を得るステップと、前記再生信号に基づいて、最適記録パワー値を決定するステップとを含む。【選択図】    図１
2007026521.tif 000002
【特許請求の範囲】
【請求項１】
相変化型光ディスクの試し書き領域に対してＤＣ消去を行うステップと、
ＤＣ消去が行われた試し書き領域に対して、記録パワー値を変化させながらデータを記録するステップと、
記録されたデータを再生することによって再生信号を得るステップと、
前記再生信号に基づいて、最適記録パワー値を決定するステップとを含むことを特徴とする記録パワー値決定方法。
【請求項２】
前記最適記録パワー値の決定は、
前記再生信号に基づいて記録パワー値毎に変調度ｍを算出するステップと、
前記記録パワー値毎に算出された変調度を用いて、前記記録パワー値毎にγ値を算出するステップと、
前記記録パワー値と前記記録パワー値毎に用いられたγ値に基づいて、記録パワー値に対するγ値の特性を求めるステップと、
求められた特性から、所定の目標γ値が得られる基準記録パワー値を決定するステップと、
前記基準パワー値に所定の係数ρを乗ずるステップとを含むことを特徴とする請求項１記載の記録パワー値決定方法。
【請求項３】
相変化型光ディスクの試し書き領域に記録パワー値を変化させてテスト記録し、該テスト記録データの再生信号に基づいて最適記録パワー値を決定する光ディスク装置であって、
前記テスト記録を行う前に、前記試し書き領域に対してＤＣ消去を実行する制御部を具備することを特徴とする光ディスク装置。
【請求項４】
前記制御部は、前記再生信号に基づいて記録パワー値毎にγ値を算出するγ値算出部と、前記γ値に基づいて最適記録パワー値を決定する記録パワー値決定部とを有することを特徴とする請求項３記載の光ディスク装置。
【発明の詳細な説明】
【技術分野】
【０００１】
本発明は、相変化型光ディスクにデータを記録する際の記録パワー値決定方法、及び光ディスク装置に関する。
【背景技術】
【０００２】
光ディスクにデータを記録可能な光ディスク装置において、レーザ光を用いて光ディスクにデータを記録するに先立って最適記録パワー値を求めるためにＯＰＣ（Ｏｐｔｉｍｕｍ Ｐｏｗｅｒ Ｃｏｎｔｒｏｌ）と呼ばれる記録パワー値最適化を行う必要がある。ＯＰＣを行うために、光ディスクのＰＣＡ（Power Calibration Area）といわれる試し書き領域に記録パワー値を変えながらテスト記録を行う。テスト記録されたデータの再生信号から最適な記録パワー値を求める。
【０００３】
書き換え可能な相変化型光ディスクの場合、テスト記録されたデータの再生信号から記録パワー値毎に変調度ｍを求める。そして、変調度ｍから求められるγ値から所定の目標値となるターゲットパワーを求める。このターゲットパワーに係数ρを乗じて記録パワー値を決定する。
【０００４】
ところが、相変化型光ディスクの相変化膜が不均一なものが流通していることがある。特にＰＣＡにおいて結晶粒の不均一性が大きい場合、ＯＰＣを行う際、相変化膜の不均一性により大きな記録パワー値で記録しているにも関わらず、小さな記録パワー値で記録した際のＲＦ波形と同じような変調を持つことがある。これにより、β値及びγ値で記録Powerを算出する際にバラツキを持つことになる。
【０００５】
このような問題を解決するための技術が開示されている（特許文献１）。特許文献１では、変調度ｍの記録パワー値に対する変化の傾きに基づいてターゲットパワーを求め、求められたターゲットパワーに係数ｚを乗じて記録パワー値を決定している。係数ｚは、最適記録パワー値の決定に用いられていた係数ρと異なるものである。
【特許文献１】特開２００３−６７９２５号公報（段落番号［００２７］〜［００３４］）
【発明の開示】
【発明が解決しようとする課題】
【０００６】
上述した方法では、ターゲットパワーに係数ｚを乗じて記録パワー値を決定しているが、係数ｚは一般的には最適記録パワー値の決定に用いられていない係数である。したがって、係数ｚが求められていない、つまり予め係数ｚがリードインエリア等に記録されていない相変化型光ディスクに対してＯＰＣを行う場合、上述した方法で最適記録パワー値を求めることが出来ない。
【０００７】
本発明の目的は、相変化型光ディスクの相変化膜が不均一であっても、新たなパラメータを用いずに、最適な記録パワー値を求め得る記録パワー値決定方法および光ディスク装置を提供することにある。
【課題を解決するための手段】
【０００８】
本発明の一例に係わる記録パワー値決定方法は、相変化型光ディスクの試し書き領域に対してＤＣ消去を行うステップと、ＤＣ消去が行われた試し書き領域に対して、記録パワー値を変化させながらデータを記録するステップと、記録されたデータを再生することによって再生信号を得るステップと、前記再生信号に基づいて、最適記録パワー値を決定するステップとを含むことを特徴とする。
【発明の効果】
【０００９】
本発明によれば、相変化型光ディスクの相変化膜が不均一であっても、新たなパラメータを用いずに、最適な記録パワー値を求めることができる。
【発明を実施するための最良の形態】
【００１０】
本発明の実施の形態を以下に図面を参照して説明する。
【００１１】
本実施形態では、記録書換可能型の相変化型光ディスクにデータを記録する場合のＯＰＣについて説明する。相変化型光ディスクは、記録層の結晶層とアモルファス層との間の可逆的な相変化を利用して情報の記録・消去を行う。また、結晶層とアモルファス層との間の光学的特性の差（通常は反射率差）を利用して再生信号を読み取る。記録を行う場合、記録層が融点以上となる書込みパワーＰoのレーザを照射して結晶層をアモルファス層に変化させることで行う。通常消去とは、記録層が融点以上となる消去パワーＰe（＜書込みパワーＰo）のレーザを照射して行う。
【００１２】
図１は、本発明の一実施形態に係わる光ディスクの記録再生装置の概略を示す図である。
【００１３】
光ディスク装置は、相変化型光ディスク１００を回転させるスピンドルモータ（ＳＰＭ）１０１、ピックアップヘッド１０２、ＲＦアンプ１０３、制御部１１０、ピーク検出部１２１、ボトム検出部１２２，ローパスフィルタ（ＬＰＦ）１２３、及びＡＤ変換器１３１〜１３４を具備する。なお、ピックアップヘッド１０２には、レーザダイオード、対物レンズ等の光学系、フォーカシングアクチュエータ、トラッキングアクチュエータ、フォトディテクタ、及びレンズポジションセンサ等で構成される。
【００１４】
制御部１１０は信号検出回路１１１、ＣＰＵ（Central Processing Unit）１１２、記録制御回路１１３、エンコーダ１１４、レーザ駆動回路（ＬＤ駆動回路）１１５、サーボ回路１１６、β／γ値算出部１１７、及び各種プログラムや各種データを記憶するメモリ１１８を具備する。
【００１５】
回転する相変化型光ディスク１００の記録面にはピックアップヘッド（ＰＵＨ）１０１のレーザダイオードから出射したレーザビームが照射され、データの記録／再生が行われる。相変化型光ディスク１００から反射された反射光はピックアップヘッド１０１のフォトディテクタで検出され、電気信号に変換される。
【００１６】
光ピックアップヘッド１０２の出力信号は、ＲＦアンプ１０３で増幅される。ＲＦアンプ１０３で増幅された信号は、制御部１１０、ピーク検出部１２１、ボトム検出部１２２、及びローパスフィルタ１２３に入力される。
【００１７】
制御部１１０内の信号検出回路１１１では、入力された信号からウォブル成分を抽出する。信号検出回路１１１は、抽出されたウォブル成分に基づいて、レーザビームの照射されている相変化型光ディスク１００のトラックのアドレスを検出し、検出されたアドレスをＣＰＵ１１２に出力する。ＣＰＵ１１２は、入力されたアドレスから相変化型光ディスク１００の径方向の記録位置を認識し、記録位置に対応する制御信号を記録制御回路１１３に出力する。
【００１８】
また、エンコーダ１１４は書き込む情報を相変化型光ディスク１００のフォーマットに従った変調方式により変調し、変調された信号を記録制御回路１１３に出力する。
【００１９】
記録制御回路１１３は、エンコーダ１１４からの変調信号及びＣＰＵ１１２からの制御信号に基づいて、レーザ駆動回路１１５、及びサーボ回路１１６に駆動制御信号を出力する。サーボ回路１１６は、スピンドルモータ１０１の回転を制御すると共に、ピックアップヘッド１０２の位置を適正な位置に設定する。レーザ駆動回路１１５は、駆動制御信号に基づいてピックアップヘッド１０２のレーザダイオードに通電し、レーザダイオードから相変化型光ディスク１００に対してレーザビームを照射する。
【００２０】
図１に示した光ディスク装置で、光ディスク１００にデータを記録するに先立って記録パワーを最適化するＯＰＣ処理を行うときの動作を、図２のフローチャートを参照して説明する。
【００２１】
先ず、記録速度をサーバから送られた記録コマンドの指定する値に設定する（ステップＳＴ１０１）。次いで、ＣＰＵ１１２は、データを記録する相変化型光ディスク１００に記録されているＩＤナンバを取得し、ＩＤナンバからメディアを認識する（ステップＳＴ１０２）。
【００２２】
そして、試し書き領域に対してＤＣ消去を行う（ステップＳＴ１０３）。ＤＣ消去とは、一定のＤＣ消去パワーでレーザを照射して消去処理を行うことである。ここでは、ＤＣ消去パワーは、通常の消去パワーＰeより大きく、実際の記録時のピークパワーＰoのレベルにしている。ＤＣ消去を行う領域は、少なくとも試し書きを行うブロックを対象に行えばよい。このＤＣ消去パワーＰeDCは、メディアの種類に応じて決められる。ＤＣ消去は実際に光ディスクの製造において相変化膜の蒸着でも行う処理と似ており、ＤＣ消去された領域の相変化膜を均一にすることが可能となる。
【００２３】
次に、メモリ１１８に記憶されているテーブルから記録速度に応じたスタート記録パワー値とステップ値を選択する（ステップＳＴ１０４）。そして、選択されたスタート記録パワー値からステップ値単位で記録パワー値を１５段階変化させて、相変化型光ディスク１００のＰＣＡ（Power Calibration Area）にテストデータを記録する（ステップＳＴ１０５）。ここで、テストデータを記録する場合の記録パワー値は、実際の記録パワー値より弱い。
【００２４】
テストデータを相変化型光ディスク１００のＰＣＡに記録した後に、記録された信号を再生する（ステップＳＴ１０６）。
【００２５】
再生時、ピックアップヘッド１０２で受光した相変化型光ディスク１００からの反射光に対応したＲＦ信号がＲＦアンプ１０３に入力される。ＲＦアンプ１０３は入力されたＲＦ信号を増幅する。増幅されたＲＦ信号は、ピーク検出部１２１、ボトム検出部１２２及びローパスフィルタ１２３に入力される。
【００２６】
ピーク検出部１２１は、増幅されたＲＦ信号のピークレベルＩPKを検出する。ボトム検出部１２２は、増幅されたＲＦ信号のボトムレベルのＩBTを検出する。また、ローパスフィルタ１２３は、増幅されたＲＦ信号に含まれるＤＣ成分ＩDCを検出する。
【００２７】
ピーク検出部１２１、ボトム検出部１２２、及びローパスフィルタ１２３で検出された信号は、ＡＤ変換器１３１〜１３３でデジタル信号に変換されてβ／γ値算出部１１７に入力される。β／γ値算出部１１７は、入力されたデジタル変換されたピークレベルＩPK、ボトムレベルＩBT、ＤＣ成分ＩDCから、１５段階の記録パワー値毎に変調度ｍを算出する（ステップＳＴ１０７）。図３に示すように、変調度ｍは、ピークレベルＩPK、ボトムレベルＩBT、ＤＣ成分ＩDCを用いて、以下の式で算出される。
【００２８】
ｍ＝Ｉ14／Ｉ14H＝（ＩPK＋ＩBT）／（ＩPK＋ＩDC）
そして、求められた変調度ｍから記録パワー値毎にγ値が算出される（ステップＳＴ１０８）。γ値は以下の式で算出される。
【００２９】
γ＝（ｄｍ／ｄＰｗ）・（Ｐｗ／ｍ）
なお、Ｐwは記録パワー値であり、右辺の“ｄｍ／ｄＰｗ”は、変調度ｍの記録パワー値Ｐwによる微分値である。
【００３０】
記録パワー値およびγ値から、記録パワー値に対するγ値の特性（記録パワー値−γ値）を演算する。そして、演算された記録パワー値−γ値特性から、あらかじめ相変化型光ディスク１００で指定された変化量γtが得られる基準パワーＰtを決定する（ステップＳＴ１０９）。相変化型光ディスク１００には、ＡＴＩＰ（Ａｂｓｏｌｕｔｅ Ｔｉｍｅ Ｉｎ Ｐｒｅｇｒｏｏｖｅ）情報としてγ値の目標値γｔが予め記録されている。
【００３１】
次に、基準パワーＰtに相変化型光ディスク１００で指定された係数ρを乗じて最適記録パワー値Ｐwoを決定する（ステップＳＴ１１０）。相変化型光ディスク１００にはＡＴＩＰ情報として、基準パワーＰtから最適記録パワー値Ｐwoを求める係数ρが予め記録されている。以上の処理でＯＰＣが終了する（ステップＳＴ１１１）。
【００３２】
その後、この記録パワー値Ｐwoを用いて相変化型光ディスク１００にデータを記録する（ステップＳＴ１１２）。
【００３３】
従来、ＰＣＡに対してＤＣ消去を行っていなかった。ＤＣ消去を行うことによって、ＰＣＡの相変化膜の結晶粒の大きさを均一にすることができる。その結果、相変化膜に照射された記録パワー値に対応して相変化膜が正常に相変化するので、最適パワー値を精度良く求めることができる。
【００３４】
ＰＣＡに記録パワー値を変えて記録を行う前に、ＤＣ消去を行った場合と行わなかった場合のＲＦ信号の波形を図４（ａ）及び図４（ｂ）に示す。図４（ａ）はＰＣＡに対してＤＣ消去を行った場合のＲＦ信号の波形、図４（ｂ）はＰＣＡに対してＤＣ消去を行った場合のＲＦ信号の波形である。図４（ａ）及び図４（ｂ）において、ＰＵＨ信号は、ピックアップヘッドから出力された信号、Peak_Hold信号はピーク検出部１２１からの出力信号、LPF信号はローパスフィルタ１２３の出力信号である。前述したように、Peak_Hold信号のピークレベルＩPK及びLPF信号のＤＣ成分ＩDCは、γ値の算出に使用される。従って、Peak_Hold信号及びLPF信号のノイズ分（不均一分）が実際の記録パワー値を算出するＯＰＣに影響を及ぼすことになる。
【００３５】
ＤＣ消去を行った図４（ａ）に示す波形は、ＤＣ消去を行わない図４（ｂ）に示す波形に比べて、ノイズ分が少ないことが分かる。よって、ＰＣＡに対してＤＣ消去行った後に、テスト記録を行うことで、再生信号のノイズが少なくなり、算出される記録パワー値が最適になる。
【００３６】
例えばＣＤ−ＲやＤＶＤ−Ｒのような追記可能型の光ディスクの最適記録パワー値を求める場合、実際の記録パワー値のレベルで試し書きを行うβ系を用いる。本実施形態のような書換可能型の相変化型光ディスクの最適記録パワー値を求める場合、実際の記録パワー値より弱い記録パワー値で試し書きを行うγ系を用いる。実際の記録パワー値のレベルで試し書きを行うと、繰り返し記録特性及び繰り返し記録可能寿命を縮めてしまうため、実際の記録パワー値より弱い記録パワー値で試し書きを行う。しかし、追記可能型の光ディスクの場合と同様に、β系を用いて相変化型光ディスクの最適記録パワー値を求めても良い。
【００３７】
β系で最適記録パワー値を求める場合を以下に説明する。記録パワー値を変えながらＰＣＡに試し書きを行う。試し書きが行われた領域を再生し、再生信号を得る。再生信号から記録パワー値毎にピークレベルＩPKおよびボトムレベルＩBTを検出する。ピークレベルＩPKおよびボトムレベルＩBTから記録パワー値毎にβ値を求める。
【００３８】
β値はピークレベルＩPKおよびボトムレベルＩBTを用いて次式；
β＝（ＩPK＋ＩBT）／（ＩPK−ＩBT）
で求められる。
【００３９】
そして、記録パワー値およびβ値から、記録パワー値に対するβ値の特性を求める。そして、求められた特性から、予め決められている目標β値が得られる記録パワー値を求め、求められた記録パワー値を最適記録パワー値とする。なお、β値は、β／γ値算出部１１７で算出される。
【００４０】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。
【図面の簡単な説明】
【００４１】
【図１】本発明の一実施形態に係わる光ディスク装置の概略構成を示すブロック図。
【図２】本発明の一実施形態に係わるＯＰＣの処理を説明するためのフローチャート。
【図３】変調度ｍの説明に用いる図。
【図４】相変化型光ディスクから得られたＲＦ信号の波形を示す写真。
【符号の説明】
【００４２】
１００…相変化型光ディスク，１０１…スピンドルモータ，１０２…光ピックアップヘッド，１０３…ＲＦアンプ，１１０…制御部，１１１．ＣＰＵ１１２…信号検出回路，１１１…信号検出回路，１１２…ＣＰＵ，１１３…記録制御回路，１１４…エンコーダ，１１５…レーザ駆動回路，１１６…サーボ回路，１１７…β／γ値算出部，１１８…メモリ，１２１…ピーク検出部，１２２…ボトム検出部，１２３…ローパスフィルタ，１３１…ＡＤ変換器
【図１】
2007026521.tif 000003
【図２】
2007026521.tif 000004
【図３】
2007026521.tif 000005
【図４】
2007026521.tif 000006